(57)【要約】【課題】結露防止用ヒータをパネルに後から容易に組み付けることができ、断熱材発泡前のパネル前組立を容易にすることができ、不具合の発生時に容易に交換することができ、結露防止用ヒータの電力量を自由に設定する。【解決手段】この発明は、正面側に扉により開閉される開口部を有するとともに内部に農産物を貯蔵する貯蔵室を有する本体を設け、この本体内の貯蔵室を冷却する冷却ユニットを設け、前記貯蔵室に収納した農産物を冷却保存する農産物保冷庫において、前記本体の開口部を形成する床面パネルと側面パネルと天井パネルとの前記扉が接離される正面側端に結露防止用ヒータを着脱可能に収納するヒータ収納機構を設けたことを特徴とする。【選択図】図１
2005061803.tif 000002
【特許請求の範囲】
【請求項１】
正面側に扉により開閉される開口部を備えるとともに内部に農産物を貯蔵する貯蔵室を備える本体を設け、この本体内の貯蔵室を冷却する冷却ユニットを設け、前記貯蔵室に収納した農産物を冷却保存する農産物保冷庫において、前記本体の開口部を形成する床面パネルと側面パネルと天井パネルとの前記扉が接離される正面側端に結露防止用ヒータを着脱可能に収納するヒータ収納機構を設けたことを特徴とする農産物保冷庫。
【請求項２】
前記ヒータ収納機構は、前記床面パネルと側面パネルと天井パネルとの正面側端の前記扉が接離される前枠に前記結露防止用ヒータを着脱可能に収納するヒータ収納部を形成して設け、このヒータ収納部に収納された前記結露防止用ヒータを覆うように前記前枠に着脱可能に取付けられるヒータカバーを設けたことを特徴とする請求項１に記載の農産物保冷庫。
【発明の詳細な説明】
【技術分野】
【０００１】
この発明は農産物保冷庫に係り、特に、結露防止用ヒータをパネルに後から容易に組み付けることができ、断熱材発泡前のパネル前組立を容易にすることができ、不具合の発生時に結露防止用ヒータを容易に交換することができ、結露防止用ヒータの電力量を自由に設定することができる農産物保冷庫に関する。
【背景技術】
【０００２】
玄米や野菜等の農産物は、温度を下げることにより長期保存が可能になる。このような農産物を低温で保存する農産物保冷庫は、断熱性を有する各パネルにより箱状に形成される本体を設け、この本体の正面側に断熱性を有する扉により開閉されて農産物を出し入れする開口部を備えるとともに、この本体内に農産物を貯蔵する貯蔵室を備え、この貯蔵室を冷却する冷却ユニットを設けている。農産物保冷庫は、冷却ユニットにより貯蔵室を冷却し、貯蔵室に貯蔵した農産物を冷却保存する。
【０００３】
従来の農産物保冷庫としては、本体を形成する床パネルの開口部側の下面に結露防止用ヒータを固着し、床パネルの開口部側の下面の結露を防止したものがある。
【特許文献１】特開２０００−３５４８２号公報
【発明の開示】
【発明が解決しようとする課題】
【０００４】
ところで、従来の農産物保冷庫においては、鋼材製の２枚の壁材間の空間に断熱材を充填した断熱性を有する各パネルにより箱体を形成し、この本体の正面側の開口部を断熱性を有する扉を設けている。扉は、本体の開口部を形成する各パネルの正面側端に接離される。
【０００５】
農産物保冷庫は、本体の開口部を形成する各パネルの扉が接離される正面側端の結露を防止するために、各パネルの扉が接離される正面側端の壁材内側に結露防止用ヒータを密着させて収納し、この結露防止用ヒータで加温することにより、本体の開口部周りに結露が発生することを防止している。この結露防止用ヒータによる加温の仕方には、常時加温、冷却ユニットの圧縮機運転と同期しての加温、適宜の箇所に配けた温度センサからの信号に基づいての加温等がある。
【０００６】
ところが、各パネルの扉が接離される正面側端の壁材内側に結露防止用ヒータを収納した場合には、各パネルに結露防止用ヒータを組み込む作業に手間がかかり、コストアップを招く不都合があるとともに、一度組み込んだ結露防止用ヒータをパネルから外すことができず、ヒータ容量を変更することができない不都合がある。
【０００７】
また、結露防止用ヒータの一部が断線した場合には、保冷庫全体を交換しなければならない不都合がある。さらに、各パネルを結合して本体を組み立てる際には、各パネル同士の結合部位において結露防止用ヒータの結線作業を必要とし、作業に手間がかかるとともに結線忘れが発生するおそれがある。
【課題を解決するための手段】
【０００８】
この発明は、正面側に扉により開閉される開口部を有するとともに内部に農産物を貯蔵する貯蔵室を有する本体を設け、この本体内の貯蔵室を冷却する冷却ユニットを設け、前記貯蔵室に収納した農産物を冷却保存する農産物保冷庫において、前記本体の開口部を形成する床面パネルと側面パネルと天井パネルとの前記扉が接離される正面側端に結露防止用ヒータを着脱可能に収納するヒータ収納機構を設けたことを特徴とする。
【発明の効果】
【０００９】
この発明の農産物保冷庫は、本体の開口部を形成する床面パネルと側面パネルと天井パネルとの扉が接離される正面側端に、結露防止用ヒータを着脱可能に収納するヒータ収納機構を設けたことにより、各パネルの組立時に結露防止用ヒータを組み込む作業を必要とせず、本体の組立後に結露防止用ヒータを各パネルに組み立てることができ、一度組み込んだ結露防止用ヒータを各パネルから容易に外して交換することができる。
このため、この農産物保冷庫は、結露防止用ヒータを各パネルに後から容易に組み付けることができ、結露防止用ヒータが断線した場合に保冷庫全体を交換する必要がなく、不具合の発生時に結露防止用ヒータを容易に交換することができ、断熱材発泡前のパネル前組立を容易にすることができ、冷却ユニットの冷却能力に合わせて結露防止用ヒータの電力量を自由に設定することができる。
【発明を実施するための最良の形態】
【００１０】
この発明の農産物保冷庫は、本体を形成する各パネルに結露防止用ヒータを着脱可能に設けたことにより、結露防止用ヒータの各パネルに対する組み付けや交換、電力量の設定の自由度を高めるものである。
以下図面に基づいて、この発明の実施例を説明する。
【実施例１】
【００１１】
図１〜図５は、この発明の第１実施例を示すものである。図５において、２は農産物保冷庫である。農産物保冷庫２は、本体４を断熱性を有する床面パネル６と側面パネル８・１０と天井パネル１２と背面パネル１４とにより箱状に形成している。各パネル６〜１４は、２枚の壁材の内側にウレタン等の断熱材を発泡充填して形成される。例えば、図１に示す如く、側面パネル８は、外側壁材１６と内側壁材１８との間の空間にウレタン等の断熱材２０を発泡充填して形成される。なお、他の床面パネル６と側面パネル１０と天井パネル１２と背面パネル１４についても、図示しないが、外側壁材１６と内側壁材１８との間の空間にウレタン等の断熱材２０を発泡充填して形成される。
【００１２】
本体４は、箱状であり、正面側に農産物を出し入れする開口部２４を備えるとともに内部に農産物を貯蔵する貯蔵室２６を備え、開口部２４を開閉する断熱性を有する扉（図示せず）を備えている。扉は、各パネル６〜１４と同様に、２枚の壁材の内側にウレタン等の断熱材を発泡充填して形成される。
【００１３】
農産物保冷庫２は、本体４内の貯蔵室２６を冷却する冷却ユニット（図示せず）を設けている。農産物保冷庫２は、冷却ユニットにより貯蔵室２６を冷却し、貯蔵した農産物を冷却保存する。なお、図５において、符号２８は荷摺り柱、符号３０は移動用車輪である。
【００１４】
この農産物保冷庫２には、ヒータ収納機構３２を設けている。ヒータ収納機構３２は、本体４の開口部２４を形成する床面パネル６と側面パネル８・１０と天井パネル１２との、扉が接離される正面側端に設けている。ヒータ収納機構３２は、結露防止用ヒータ３４を着脱可能に収納する。
【００１５】
ヒータ収納機構３２は、床面パネル６と側面パネル８・１０と天井パネル１２との正面側端の扉が接離される前枠３６に結露防止用ヒータ３４を着脱可能に収納するヒータ収納部３８を設け、このヒータ収納部３８に収納された結露防止用ヒータ３４を覆うように前枠３６に着脱可能に取付けられるヒータカバー４０を設けている。
【００１６】
なお、ヒータ収納機構３２は、各パネル６〜１２について同一の構造であるので、以下の実施例においては、側面パネル８を例示して説明する。
【００１７】
側面パネル８には、図１に示す如く、外側壁材１６の正面側端に内側壁材１８に向かって直交する方向に延びるとともに内側壁材１８までの中間にまで達する正面側端壁部４２を形成して設け、この正面側端壁部４２の先端を外側壁材１６と平行する背面側方向に折り返して正面側折り返し部４４を形成して設けている。また、側面パネル８には、内側壁材１８の正面側端近傍を外側壁材１６に向かって直交する方向に折り返して、正面側端壁部４２と平行する内側折り返し部４６を形成して設けている。
【００１８】
ヒータ収納機構３２の前枠３６は、図２に示す如く、側面パネル８の正面側端壁部４２に接続される正面側部材４８とこの正面側部材４８に対して直交して内側壁材１８に接続される内側部材５０とにより、断面略Ｌ字形状に形成される。
【００１９】
前記正面側部材４８は、側面パネル８の背面側に向かって窪んで正面側端壁部４２の正面側折り返し部４４が係合する断面略Ｊ字形状の正面側係合部５２を設け、この正面側係合部５２の短い片部分先端に連続して長い片部分と交差する方向に延びた後に折曲して正面側に向かって延びる断面略Ｌ字形状の前記ヒータ収納部３８を設け、このヒータ収納部３８の折曲する部分に連続して側面パネル８の背面側に向かって窪んだ断面略凹字形状の係止部５４を設け、この係止部５４の一方の片部分の延長先端に連続して側面パネル８の背面側に引退した位置で正面側端壁部４２と平行するように内側壁材１８に向かって延びる断面略Ｊ字形状の段差部５６を設け、この段差部５６の短い片部分先端に連続して正面側端壁部４２と平行するように延びて前記内側部材５０に連続する突縁部５８を設けている。
【００２０】
正面側係合部５２には、正面側折り返し部４４が係合する細幅の正面側係合溝６０を設けている。ヒータ収納部３８には、結露防止用ヒータ３４を着脱可能に収納する略Ｊ字形状のヒータ収納溝６２を設けている。係止部５４には、対向する片部分に一対の突条部６４を突出させて設けている。段差部５６には、凹所６６を設けている。
【００２１】
前記内側部材５０は、側面パネル８の外側壁材１６側に向かって窪んで内側壁材１８の内側折り返し部４６が係合する略Ｕ字形状の内側係合部６８を設け、この内側係合部６８一方の片部分に連続して内側壁材１８と平行するように延びて正面側部材４８の突縁部５８に連続する平坦部７０を設けている。内側係合部６８には、内側折り返し部４６が係合する細幅の内側係合溝７２を設けている。
【００２２】
ヒータ収納機構３２の前枠３６は、正面側係合部５２の正面側係合溝６０に側面パネル８の正面側端壁部４２の正面側折り返し部４４を係合し、内側係合部６８の内側係合溝７２に側面パネル８の内側折り返し部４６を係合することにより、側面パネル８に組み立てられる。
【００２３】
前記ヒータ機構３０のヒータカバー４０は、図３に示す如く、前記側面パネル８の正面側端壁部４２に平行するとともに前記正面側部材４８のヒータ収納部３８及び結露防止用ヒータ３４に当接されて結露防止用ヒータ３４を覆うヒータカバー部７４を設け、このヒータカバー部７４に連続して前記正面側部材４８の係止部５４に挿入される一対の平行な突出部７６を設け、この突出部７６に連続して前記正面側部材４８の段差部５６の凹所６６に嵌合される嵌合部７８を設けている。一対の突出部７６には、前記正面側部材４８の係止部５４の一対の突条部６４が係合する一対の条溝部８０を窪ませて設けている。
【００２４】
次に、この実施例の作用を説明する。
【００２５】
この農産物保冷庫２は、断熱性を有する床面パネル６と側面パネル８・１０と天井パネル１２と背面パネル１４とを接合して、箱状の本体４を形成している。本体４の開口部２４を形成する床面パネル６と側面パネル８・１０と天井パネル１２との扉が接離される正面側端には、結露防止用ヒータ３４を収納するヒータ収納機構３２を設けている。
【００２６】
ヒータ収納機構３２は、床面パネル６と側面パネル８・１０と天井パネル１２との正面側端の扉が接離される前枠３６に、結露防止用ヒータ３４を着脱可能に収納するヒータ収納部３８を設けている。結露防止用ヒータ３４は、各パネル６〜１２の正面側折り返し部４４に密着させて、各パネル６〜１２の前枠３６のヒータ収納部３８のヒータ収納溝６２に収納する。
【００２７】
前枠３６のヒータ収納部３８に収納された結露防止用ヒータ３４は、図４に示す如く、長手方向の端部近傍をホルダ８２により保持される。隣接するパネルである側面パネル８と天井パネル１２との各ヒータ収納部３８に収納され結露防止用ヒータ３４は、端部どうしを夫々コネクタ８４を介して接続コード８６により接続する。図示しないが、他の床面パネル６と側面パネル１０と天井パネル１２の結露防止用ヒータ３４は、ヒータ収納部３８に収納される。他の床面パネル６と側面パネル１０と天井パネル１２の各ヒータ収納部３８に収納された結露防止用ヒータ３４は、夫々長手方向の端部近傍をホルダ８２により保持し、端部どうしを夫々コネクタ８４を介して接続コード８６により接続する。
【００２８】
各パネル６〜１２のヒータ収納部３８に収納されて接続された結露防止用ヒータ３４は、各パネル６〜１４の前枠３６の係止部５４にヒータカバー４０の突出部７６を挿入し、係止部５４の一対の突条部６４を突出部７６の一対の条溝部８０に係合させることにより、ヒータ収納部３８に収納した状態に維持することができ、ヒータカバー４０のヒータカバー部７４が当接されて覆うことができる。
【００２９】
ヒータカバー４０に覆われた結露防止用ヒータ３４は、前枠３６の係止部５４の一対の突条部６４からヒータカバー４０の突出部７６の一対の条溝部８０を抜脱させることにより、ヒータカバー４０を外してヒータ収納部３８から外すことができる。なお、結露防止用ヒータ３４への電源線（図示せず）は、天井パネル１２に埋込む。
【００３０】
結露有無の確認試験においては、周囲温度を摂氏３５度、相対湿度を９０％の環境にした恒温室へ貯蔵室２６の温度を摂氏５度に設定した農産物保冷庫２を入れ、２４時間後の農産物保冷庫２の外面への結露有無を目視検査した結果、結露が無いことを確認できた。
【００３１】
このように、この農産物保冷庫２は、本体４の開口部２４を形成する床面パネル６と側面パネル８・１０と天井パネル１２との扉が接離される正面側端に、結露防止用ヒータ３４を着脱可能に収納するヒータ収納機構３２を設けたことにより、各パネル６〜１２の組立時に結露防止用ヒータ３４を組み込む作業を必要とせず、本体４の各パネル６〜１２による組立後に結露防止用ヒータ３４を各パネル６〜１２に組み立てることができ、結露防止用ヒータ３４を１部品で作ることができ、一度組み込んだ結露防止用ヒータ３４を各パネル６〜１２から容易に外して交換することができる。
【００３２】
このため、この農産物保冷庫２は、結露防止用ヒータ３４を各パネル６〜１２に後から容易に組み付けることができ、結露防止用ヒータ３４が断線した場合に保冷庫全体を交換する必要がなく、不具合の発生時に結露防止用ヒータ３４を容易に交換することができ、断熱材発泡前のパネル前組立を容易にすることができ、結露防止用ヒータ３４が１部品になるので結線忘れを防止でき、冷却ユニットの冷却能力に合わせて結露防止用ヒータ３４の電力量を自由に設定することができる。
【実施例２】
【００３３】
図６は、第２実施例を示すものである。この実施例の農産物保冷庫２のヒータ収納機構３２は、前枠３６の正面側部材４８を形成する断面略Ｊ字形状の正面側係合部５２の短い片部分先端に連続して断面略Ｊ字形状の前記ヒータ収納部３８を設け、このヒータ収納部３８に連続することなく前記正面側係合部５２の短い片部分基端に連続して側面パネル８の背面側に向かって窪んだ断面略Ｌ字形状の係止部５４を設け、ヒータ収納部３８の先端及びヒータ収納部３８と対向する係止部５４の一方の片部分に一対の突条部６４を突出させて設け、また、ヒータカバー４０を形成するヒータカバー部７４に連続して前記正面側部材４８の係止部５４に挿入されるとともに一方が結露防止用ヒータ３４に当接される一対の平行な突出部７６を設け、この一対の突出部７６に前記ヒータ収納部３８及び係止部５４の一対の突条部６４が係合する一対の条溝部８０を窪ませて設けたものである。
【００３４】
この実施例の農産物保冷庫２のヒータ収納機構３２は、前枠３６の係止部５４にヒータカバー４０の突出部７６を挿入し、ヒータ収納部３８及び係止部５４の一対の突条部６４を突出部７６の一対の条溝部８０に係合させることにより、断面略Ｊ字形状のヒータ収納部３８に収納した結露防止用ヒータ３４にヒータカバー４０の突出部７６の一方とヒータカバー部７４とを当接させて、結露防止用ヒータ３４をヒータ収納部３８に収納した状態に維持することができ、ヒータカバー部７４により覆うことができる。
【００３５】
このように、この実施例の農産物保冷庫２のヒータ収納機構３２は、ヒータ収納部３８に収納した結露防止用ヒータ３４にヒータカバー部７４だけでなくヒータカバー４０の突出部７６の一方をも当接させて組み付けていることにより、突出部７６によって結露防止用ヒータ３４を正面側折り返し部４４側に押圧して密着させることができ、伝熱性を高めることができる。
【実施例３】
【００３６】
図７は、第３実施例を示すものである。この実施例の農産物保冷庫２のヒータ収納機構３２は、前枠３６の正面側部材４８を形成する断面略Ｊ字形状の正面側係合部５２の短い片部分先端に連続して断面略Ｃ字形状の前記ヒータ収納部３８を設け、このヒータ収納部３８の先端に連続して正面側折り返し部４４との間を狭めるように正面側係合部５２の長い片部分先端に向かい突出される弾性変形可能な突出片８２を設けるともに、ヒータ収納部３８の先端に連続して正面側端壁部４２と平行するように延びて内側部材５０に連続する平坦部８４を設けたものである。
【００３７】
この実施例の農産物保冷庫２のヒータ収納機構３２は、前枠３６のヒータ収納部３８の突出片８２を弾性変形させて正面側折り返し部４４との間を広げることにより、結露防止用ヒータ３４をヒータ収納部３８に収納することができ、また、突出片８２を復元させて正面側折り返し部４４との間を狭めることにより、結露防止用ヒータ３４をヒータ収納部３８に収納した状態に維持することができ、さらに、ヒータ収納部３８の突出片８２を弾性変形させて正面側折り返し部４４との間を広げることにより、結露防止用ヒータ３４をヒータ収納部３８から外すことができる。
【００３８】
このように、この実施例の農産物保冷庫２のヒータ収納機構３２は、ヒータカバー４０を要することなく、前枠３６のヒータ収納部３８に結露防止用ヒータ３４を容易に着脱することができることにより、ヒータカバー４０を不要にして部品点数を削減することができ、前枠３６の形状を簡略化して製造を容易にすることができる。
【産業上の利用可能性】
【００３９】
この発明の農産物保冷庫は、本体を形成する各パネルに結露防止用ヒータを直脱可能に設けたことにより、結露防止用ヒータのパネルに対する組み付けや交換、電力量の設定の自由度を高めることができる。
【図面の簡単な説明】
【００４０】
【図１】農産物保冷庫の第１実施例を示す図５の矢印Ｉ−Ｉ線による拡大断面図である。
【図２】前枠の拡大断面図である。
【図３】ヒータカバーの拡大断面図である。
【図４】図５の矢印ＩＶ部位の拡大一部破断正面図である。
【図５】農産物保冷庫の扉を省略した正面図である。
【図６】農産物保冷庫の第２実施例を示す側面パネルの要部拡大断面図である。
【図７】農産物保冷庫の第３実施例を示す側面パネルの要部拡大断面図である。
【符号の説明】
【００４１】
２  農産物保冷庫
４  本体
６  床面パネル
８・１０  側面パネル
１２  天井パネル
１４  背面パネル
１６  外側壁材
１８  内側壁材
２０  断熱材
２４  開口部
２６  貯蔵室
３２  ヒータ収納機構
３４  結露防止用ヒータ
３６  前枠
３８  ヒータ収納部
４０  ヒータカバー
【図１】
2005061803.tif 000003
【図２】
2005061803.tif 000004
【図３】
2005061803.tif 000005
【図４】
2005061803.tif 000006
【図５】
2005061803.tif 000007
【図６】
2005061803.tif 000008
【図７】
2005061803.tif 000009